(57)【要約】【課題】ブラシ片の腰の強さを確保することができると共に、製造コストを低減でき、洗浄効果を増すことができる洗車機用洗浄ブラシ及びその洗車機用洗浄ブラシを搭載した洗車機を提供する。【解決手段】洗車機用洗浄ブラシ３０は、ブラシ部材２０で形成されたブラシ片２と、回転軸１とを有すると共に、前記ブラシ片２の少なくとも１つは前記回転軸１の外周部にブラシ部材２０で覆い囲われた中空部１１を有するブラシ片２で構成されてある。【選択図】      図１
2008073063.tif 000002
【特許請求の範囲】
【請求項１】
自動車或いは車両の外面の被洗浄面に付着した汚れ等を洗浄する為の洗車機に使用する洗車機用洗浄ブラシにおいて、該洗車機用洗浄ブラシは、ブラシ部材で形成されたブラシ片と、回転軸とを有すると共に、前記ブラシ片の少なくとも１つは前記回転軸の外周部にブラシ部材で覆い囲われた中空部を有するブラシ片で構成されてあることを特徴とする洗車機用洗浄ブラシ。
【請求項２】
ブラシ片の自由端部から根元部に向かってスリットが形成されてあることを特徴とする請求項１に記載の洗車機用洗浄ブラシ。
【請求項３】
ブラシ片の根元部近傍に穴部が形成されてあることを特徴とする請求項１又は２に記載の洗車機用洗浄ブラシ。
【請求項４】
穴部は被洗浄面に対するブラシ片の当接側とは反対側に形成されてあることを特徴とする請求項３に記載の洗車機用洗浄ブラシ。
【請求項５】
ブラシ片は中空部に平板状の芯材を有することを特徴とする請求項１から４のいずれか１項に記載の洗車機用洗浄ブラシ。
【請求項６】
ブラシ片は中空部を少なくとも２つ以上に分割する芯材が形成されてあることを特徴とする請求項１から５のいずれか１項に記載の洗車機用洗浄ブラシ。
【請求項７】
ブラシ片の外面に起毛部が形成されてあることを特徴とする請求項１から６のいずれか１項に記載の洗車機用洗浄ブラシ。
【請求項８】
駆動源と、被洗浄面に散布する洗浄剤及び洗浄水を噴出させるノズルと、洗浄後の被洗浄面を乾燥させる乾燥手段とを備えると共に、請求項１から７のいずれか１項に記載の洗車機用洗浄ブラシを搭載した洗車機。
【発明の詳細な説明】
【技術分野】
【０００１】
本発明は、ガソリンスタンド等に設置される洗車機と、この洗車機に使用される洗車機用洗浄ブラシに関するものである。
【背景技術】
【０００２】
従来の洗車機用洗浄ブラシにおいて、洗浄効果を高める発明は様々なものがある。例えば、洗浄部材と取付部材とで構成された布ブラシにおいて、洗浄部材を不織布で作られた細長袋と合成樹脂で作られた補強シートとで構成され、補強シートは細長袋内に先端部を没して配置されたものがある（特許文献１）。
また、合成樹脂発泡体からなるブロックをスライスして複数のシート状洗浄体を形成し、このシート状洗浄体を複数のスリットによって細分化した後、回転体の軸に対して傾斜するように配置したものがある（特許文献２）。
【０００３】
【特許文献１】特開２０００−７１９４９号公報
【特許文献２】特開２００２−３１６６２２号公報
【発明の開示】
【発明が解決しようとする課題】
【０００４】
上記従来の特許文献１に記載された技術では不織布を細長の袋状に縫製する必要があり、コスト高となる。また、特許文献２に記載された技術では、シート状洗浄体にスリットを形成したり、シート状洗浄体を回転体の軸に対して傾斜するように配置する製造工程を経なければならず、製造コストのわりには洗浄効果が向上するものではなかった。
【０００５】
本発明は上記点に鑑み、ブラシ片の腰の強さを確保することができると共に、製造コストを低減でき、洗浄効果を増すことができる洗車機用洗浄ブラシ及び洗車機を提供することを目的とする。
【課題を解決するための手段】
【０００６】
請求項１の発明は、自動車或いは車両の外面の被洗浄面に付着した汚れ等を洗浄する為の洗車機に使用する洗車機用洗浄ブラシにおいて、該洗車機用洗浄ブラシは、ブラシ部材で形成されたブラシ片と、回転軸とを有すると共に、前記ブラシ片の少なくとも１つは前記回転軸の外周部にブラシ部材で覆い囲われた中空部を有するブラシ片で構成されてあることに特徴を有する。したがって、中空部が弾性を有して被洗浄面に当接する為、高い拭き性能が図れる。また、中空部が衝撃を吸収する為、傷をつけることを防止できる。
【０００７】
請求項２の発明は、請求項１の洗車機用洗浄ブラシの発明において、ブラシ片の自由端部から根元部に向かってスリットが形成されてあることに特徴を有する。したがって、被洗浄面に当接する場合に変形の自由度が増すため、洗浄効果を向上させることができる。
【０００８】
請求項３の発明は、請求項１又は２の洗車機用洗浄ブラシの発明において、ブラシ片の根元部近傍に穴部が形成されてあることに特徴を有する。したがって、洗浄時に吸収した水分を穴部で抜くことができると共に、この穴部は根元部近傍に形成されているので、被洗浄面に引っ掛かることもない。
【０００９】
請求項４の発明は、請求項３の洗車機用洗浄ブラシの発明において、穴部は被洗浄面に対するブラシ片の当接側とは反対側に形成されてあることに特徴を有する。したがって、洗浄時に被洗浄面の突起物等に引っ掛かるのを防止することができる。
【００１０】
請求項５の発明は、請求項１から４のいずれか１項の洗車機用洗浄ブラシの発明において、ブラシ片は中空部に平板状の芯材を有することに特徴を有する。したがって、芯材によってブラシ片の毛腰を強くすることができる。
【００１１】
請求項６の発明は、請求項１から５のいずれか１項の洗車機用洗浄ブラシの発明において、ブラシ片は中空部を少なくとも２つ以上に分割する芯材が形成されてあることに特徴を有する。したがって、中空部の芯材によって毛腰を強くできると共に、ブラシ片によって、洗浄効果を向上させることができる。
【００１２】
請求項７の発明は、請求項１から６のいずれか１項の洗車機用洗浄ブラシの発明において、ブラシ片の外面に起毛部が形成されてあることに特徴を有する。したがって、起毛部によって、さらに洗浄効果を向上させることができる。
【００１３】
請求項８の発明は、駆動源と、被洗浄面に散布する洗浄剤及び洗浄水を噴出させるノズルと、洗浄後の被洗浄面を乾燥させる乾燥手段とを備えると共に、請求項１から７のいずれか１項に記載の洗車機用洗浄ブラシを搭載した洗車機であることに特徴を有する。したがって、毛腰が強く、洗浄効果を向上させることができる洗浄ブラシを搭載した洗車機であり、洗車機のコストを低減することもできる。
【発明の効果】
【００１４】
請求項１の発明では、中空部を有するブラシ片としたことにより、高い拭き性能を図れると共に被洗浄面を傷つけることを防止でき、請求項２の発明では、ブラシ片にスリットを形成したことにより、洗浄効果を向上させることができ、請求項３及び４の発明では、ブラシ片の根元部近傍に穴部を形成したことにより、洗浄時の水分を抜くことができ、請求項５及び６の発明では、中空部に芯材を有するようにしたことにより、ブラシ片の毛腰を強くすることができ、請求項７の発明では、ブラシ片の外面に起毛部を形成したことにより、洗浄効果を向上させることができる。
【００１５】
また、請求項８の発明では、請求項１から７のいずれか１項の洗車機用洗浄ブラシを搭載した洗車機としたので、毛腰が強く、洗浄効果も増し、コスト高とならない洗車機を提供できる。
【発明を実施するための最良の形態】
【００１６】
次に、本発明の実施形態を図面に基づいて説明する。図１は本発明の第１実施形態の洗浄ブラシ片を有する洗浄ブラシを示す図である。図１（ａ）は斜視図、図１（ｂ）は正面図である。洗車機用洗浄ブラシ３０は、ブラシ部材２０で形成された４つのブラシ片２と、回転軸１とを有するものである。そして、ブラシ片２は回転軸１の外周部にブラシ部材２０で覆い囲われた中空部１１を有している。ブラシ片２と回転軸１の接合は止め金具３が回転軸１に設置され、止め板４がブラシ片２に設置された後、リベット５によって固定されている。尚、ブラシ片２の回転軸１への固定方法は、上記以外にもあり、止め金具３及び止め板４を使用する事なく、リベット５にてブラシ片２を回転軸１に固定する方法も採用できる。
また、図１（ｃ）に示すように、洗車機用洗浄ブラシ３０ａは回転軸１にＶ字型のブラシ片２ａを設置してもよく、少なくとも１つのブラシ片２が中空部１１を有しているものであれば本発明の請求項１に含まれるものである。ここで、ブラシ片２は、織布、不織布、編物等の布帛、合成樹脂発泡体、フィルム状樹脂組成物、軟質ゴム材、人工皮革、合成皮革等、使用目的に応じて設定できる。
【００１７】
図２は本発明の第２実施形態のブラシ片２ｂ、２ｃを示す斜視図である。図２（ａ）に示すブラシ片２ｂにはブラシ部材２０で形成されたブラシ片２ｂの自由端部Ａ側から根元部Ｂ側に向かって複数のスリット６、６が形成されている。このスリット６が形成されていることによって、ブラシ部材２０が被洗浄面に当接した場合に変形の自由度が増すので、洗浄効果が向上するのである。尚、図２（ｂ）に示すブラシ片２ｃのように、自由端部Ａ側から根元部Ｂ側に向かって形成される複数のスリット６ａ、６ａは切り込みを入れただけのものであってもよい。また、スリット６ａの両端部に裂け防止用の穴部（図示せず）を設けてもよい。
【００１８】
図３は、本発明の第３実施形態のブラシ片２ｄを示す斜視図である。このブラシ片２ｄには根元部Ｂ近傍に複数の穴部７、７が形成されている。この穴部７は洗浄時に中空部１１内に溜まった水分を抜く役割を果たすものである。尚、穴部７は、被洗浄面に対するブラシ片の当接部分８とは反対側に形成するのが好ましい。何故ならば、被洗浄面の突起物等に穴部７が引っ掛かるのを防ぐことができるからである。
【００１９】
図４は本発明の第４実施形態のブラシ片２ｅ、２ｆを示す斜視図である。図４（ａ）のブラシ片２ｅには中空部１１に平板状の芯材９が設置され、角部９ａがブラシ部材２０に固定されている。この芯材９にはブラシ部材２０とは材質の異なった強い弾性を有する材質の芯材９を使用することによって、ブラシ片２ｄの毛腰を強くすることができる。尚、図４（ｂ）のブラシ片２ｆのように、芯材９ｂをブラシ部材２０と同じ材質で一体的に形成することもできる。
【００２０】
図５は本発明の第５実施形態のブラシ片２ｇを示す斜視図である。このブラシ片２ｇには筒状の芯材９ｃが設置されている。この芯材９ｃも上述した第４実施形態のブラシ片２ｅの芯材９と同様に、ブラシ部材２０とは材質の異なった強い弾性を有する材質の芯材９ｃを使用することによって、ブラシ片２ｇの毛腰を強くすることができる。尚、芯材９ｃは一例であり、ブラシ片２ｇの中空部１１を少なくとも２つ以上に分割する芯材であれば、本発明の請求項６に含まれるものである。
【００２１】
図６は本発明の第６実施形態のブラシ片２ｈを示す斜視図である。このブラシ片２ｈにはブラシ部材２０の上に起毛部１０が形成されているものである。この起毛部１０が被洗浄面に当接することによって、洗浄効果をさらに向上させることができるのである。
尚、ブラシ片２、２a、２ｂ、２ｃ、２ｄ、２ｅ、２ｆ、２ｇ、２ｈの材質としては、織布、不織布、編物等の布帛、独立気泡あるいは連続気泡を有する合成樹脂発泡体、フィルム状樹脂組成物、人工皮革、合成皮革等を用いることができる。
また、芯材９、９ｃの材質としては、布帛、人工皮革、合成皮革、合成樹脂発泡体、合成樹脂板、熱可塑性エラストマーシート等を採用できる。
【００２２】
次に、図７は本発明の洗車機用洗浄ブラシを搭載した洗車機の正面図である。洗車機６７は、図７のように、本発明の洗車機用洗浄ブラシ６６が搭載されており、この洗車機用洗浄ブラシ６６は駆動源６８より回転される。ノズル６９からは、被洗浄面に対して洗浄剤及び水が散布され、洗車機用洗浄ブラシ６６により、洗浄され、洗浄後は洗車機６７の乾燥手段である乾燥機９０により被洗浄面が乾燥される。
【００２３】
洗車機６７は、被洗浄面に傷を付けること無く、高い洗浄性を有すると共に、洗浄時の接触音を極力低減、或いは抑制でき、腰の強いブラシ片を有する洗車機用洗浄ブラシ６６が搭載されているので、被洗浄面に対して傷を付着させること無く、毛腰を強く当接させることができる。その為、洗車機６７は、洗車機用洗浄ブラシ６６を高速回転に設定すると共に、洗浄時間を短時間に設定した場合においても、被洗浄面に傷が付着すること無く、且つ洗浄残りの無い高い洗浄性が付与される。また、洗車機用洗浄ブラシ６６の回転を、低速回転から高速回転等に急変させた場合においても、前記と同様の作用が洗車機６７に付与される。その為、被洗浄面である車体に傷を付けることが無いと共に、洗浄時の接触音を極力低減、或いは抑制できる非常に高い洗浄性が発揮できる洗車機６７を提供することができる。
【００２４】
尚、本発明の趣旨を逸脱しない範囲において、種々の実施形態をとることができることは言うまでもない。
【産業上の利用可能性】
【００２５】
本発明の洗車機用洗浄ブラシ及び洗車機は主に、自動車或いは車両の外面の被洗浄面に付着した汚れ等を洗浄する為の洗車機、及び洗車機に搭載される洗車機用洗浄ブラシとして使用する。
【図面の簡単な説明】
【００２６】
【図１】本発明の第１実施形態を示す説明図
【図２】本発明の第２実施形態を示す説明図
【図３】本発明の第３実施形態を示す説明図
【図４】本発明の第４実施形態を示す説明図
【図５】本発明の第５実施形態を示す説明図
【図６】本発明の第６実施形態を示す説明図
【図７】本発明の洗車機用洗浄ブラシを搭載した洗車機の正面図
【符号の説明】
【００２７】
１  回転軸
２  ブラシ片
３  止め金具
４  止め板
５  リベット
６  スリット
７  穴部
８  ブラシ片の当接部分
９  芯材
２０  ブラシ部材
３０、６６  洗車機用洗浄ブラシ
６７  洗車機
６８  駆動源
６９  ノズル
９０  乾燥機
【図１】
2008073063.tif 000003
【図２】
2008073063.tif 000004
【図３】
2008073063.tif 000005
【図４】
2008073063.tif 000006
【図５】
2008073063.tif 000007
【図６】
2008073063.tif 000008
【図７】
2008073063.tif 000009